(57)【特許請求の範囲】
【請求項１】
互いに対向配置された一対の柱、それらの頂部に架け渡された上段横架材及びそれらの脚部をつなぐ下段横架材を木造軸組部材とした矩形フレームの内側空間であって前記上段横架材の直下及び前記下段横架材の直上の少なくともいずれかが設置領域となるようにかつ該設置領域を除く領域が矩形状の開口となるように制振装置を設置した木造建物の制振構造において、
前記制振装置を、前記上段横架材の下面又は前記下段横架材の上面を取付け面として該取付け面にシリンダー及びピストンロッドのいずれか一方がピン接合されたオイルダンパーと、一端が前記取付け面にピン接合され他端が前記シリンダー及び前記ピストンロッドの他方にピン接合された揺動レバーと、該揺動レバーの中間位置に一端が接合され他端が前記一対の柱のうち、いずれか一方にピン接合されたアームとで構成するとともに、地震時における前記柱と前記上段横架材又は前記下段横架材との相対回転に伴って前記オイルダンパーの設置高さで生じる前記柱の相対水平変位が、拡大された状態で前記オイルダンパーに入力されるように、前記アームと前記揺動レバーとのピン接合位置及び前記アームと前記柱とのピン接合位置を設定したことを特徴とする木造建物の制振構造。
【請求項２】
前記設置領域を前記上段横架材の直下であって該上段横架材の下方に設置された天井の直上とするとともに、該天井とその下方に設けられた床板に挟まれた開口を前記矩形状の開口とし、該矩形状の開口を隣接居室間で行き来可能に構成した請求項１記載の木造建物の制振構造。
【請求項３】
前記設置領域を前記上段横架材の直下及び前記下段横架材の直上とするとともに、それらに挟まれた開口を前記矩形状の開口とし、該矩形状の開口に腰窓を嵌め込んだ請求項１記載の木造建物の制振構造。
【請求項４】
前記設置領域を前記下段横架材の直上とするとともに、前記上段横架材の直下に拡がる開口を前記矩形状の開口とし、該矩形状の開口に高窓を嵌め込んだ請求項１記載の木造建物の制振構造。
【請求項５】
互いに対向配置された一対の柱、それらの頂部に架け渡された上段横架材、それらの脚部をつなぐ下段横架材及び前記一対の柱の中間高さに架け渡された補助横架材を木造軸組部材とした矩形フレームの内側空間であって前記補助横架材の直下及び直上の少なくともいずれかが設置領域となるようにかつ該設置領域を除く領域が矩形状の開口となるように制振装置を設置した木造建物の制振構造において、
前記制振装置を、前記補助横架材の上面又は下面を取付け面として該取付け面にシリンダー及びピストンロッドのいずれか一方がピン接合されたオイルダンパーと、一端が前記取付け面にピン接合され他端が前記シリンダー及び前記ピストンロッドの他方にピン接合された揺動レバーと、該揺動レバーの中間位置に一端が接合され他端が前記一対の柱のうち、いずれか一方にピン接合されたアームとで構成するとともに、地震時における前記柱と前記補助横架材との相対回転に伴って前記オイルダンパーの設置高さで生じる前記柱の相対水平変位が、拡大された状態で前記オイルダンパーに入力されるように、前記アームと前記揺動レバーとのピン接合位置及び前記アームと前記柱とのピン接合位置を設定したことを特徴とする木造建物の制振構造。
【請求項６】
前記補助横架材の上面を取付け面とした場合の前記設置領域の上方又は前記補助横架材の下面を取付け面とした場合の該補助横架材の上方に拡がる開口を前記矩形状の開口とし、該矩形状の開口に高窓を嵌め込んだ請求項５記載の木造建物の制振構造。
【請求項７】
前記補助横架材の上面を取付け面とした場合の該補助横架材の下方又は前記補助横架材の下面を取付け面とした場合の前記設置領域の下方に拡がる開口を前記矩形状の開口とし、該矩形状の開口に地窓を嵌め込んだ請求項５記載の木造建物の制振構造。
【請求項８】
互いに対向配置された一対の柱、それらの頂部に架け渡された上段横架材、それらの脚部上方位置をつなぐ下段横架材を木造軸組部材とした矩形フレームの内側空間のうち、前記下段横架材の直下に制振装置を設置した木造建物の制振構造において、
前記制振装置を、前記下段横架材の下面を取付け面として該取付け面にシリンダー及びピストンロッドのいずれか一方がピン接合されたオイルダンパーと、一端が前記取付け面にピン接合され他端が前記シリンダー及び前記ピストンロッドの他方にピン接合された揺動レバーと、該揺動レバーの中間位置に一端が接合され他端が前記一対の柱のうち、いずれか一方にピン接合されたアームとで構成するとともに、地震時における前記柱と前記下段横架材との相対回転に伴って前記オイルダンパーの設置高さで生じる前記柱の相対水平変位が、拡大された状態で前記オイルダンパーに入力されるように、前記アームと前記揺動レバーとのピン接合位置及び前記アームと前記柱とのピン接合位置を設定したことを特徴とする木造建物の制振構造。
【請求項９】
前記木造建物を在来軸組工法で構築された木造建物とした請求項１乃至請求項８のいずれか一記載の木造建物の制振構造。
【請求項１０】
木造軸組部材を構成する横架材の下面又は上面を取付け面として該取付け面にシリンダー及びピストンロッドのいずれか一方がピン接合されたオイルダンパーと、一端が前記取付け面にピン接合され他端が前記シリンダー及び前記ピストンロッドの他方にピン接合された揺動レバーと、該揺動レバーの中間位置に一端が接合され他端が前記横架材に接合され該横架材とともに前記木造軸組部材を構成する柱にピン接合されたアームとで構成するとともに、地震時における前記柱と前記横架材との相対回転に伴って前記オイルダンパーの設置高さで生じる前記柱の相対水平変位が、拡大された状態で前記オイルダンパーに入力されるように、前記アームと前記揺動レバーとのピン接合位置及び前記アームと前記柱とのピン接合位置を設定したことを特徴とする制振装置。
【発明の詳細な説明】
【技術分野】
【０００１】
本発明は、主として木造住宅、特に在来軸組工法の木造住宅に適用される制振装置及びそれを用いた木造建物の制振構造に関する。
【背景技術】
【０００２】
構造物の制振技術は、オフィス等を用途とした大規模建築物への導入に始まり、最近では、居住快適性や地震に対する安全性を高めたいというニーズとも相俟って、戸建て木造住宅にも導入されるようになってきた。
【０００３】
戸建て木造住宅で採用される制振技術としては、振動エネルギーを吸収減衰させるダンパーを建物内に配置することによって、地震動による建物の揺れを収斂させるものが主流であるが、かかるダンパーには、低降伏点鋼材を用いた弾塑性ダンパー、シリコン等を用いた粘性ダンパー、オイルダンパー、摩擦ダンパーといったさまざまな種類があり、地震動や建物の規模あるいは振動特性に応じて適宜使い分けされる。
【０００４】
ここで、いずれのダンパーを採用するにしろ、地震動による建物の揺れを収斂させるには、建物の揺れによって相対変位が生じている部材間にダンパーを架け渡す必要があり、かかる部材間相対変位が大きいほど、建物全体の揺れを制御しやすい。
【０００５】
そのため、ダンパーは、例えば層間変位、すなわち上下の横架材間で生じている相対変位が入力されるように設置する形態が典型例となる。
【先行技術文献】
【特許文献】
【０００６】
【特許文献１】特開２０１０−２０３１６４号公報
【特許文献２】特開２００９−０２４４３５号公報
【特許文献３】特開２００８−３０８９０６号公報
【特許文献４】特開２００５−１７１５１５号公報
【特許文献５】特開２００４−２６３４１９号公報
【発明の概要】
【発明が解決しようとする課題】
【０００７】
しかしながら、上下の横架材間にダンパーを設置する場合には、必然的に柱梁からなる矩形フレームで囲まれた空間が、ダンパーや該ダンパーを矩形フレームに連結するブレースあるいは連結板で占有されることとなり、壁として塞いでしまってもかまわない場合であれば何ら問題とはならないものの、広い室内空間を確保したり、通風や採光を確保したい場合には、ダンパー設置箇所が壁となって立ちはだかり、大空間の確保や通風あるいは採光を確保するための開口を設けることが困難となる。
【０００８】
もちろん、ダンパー取付け用横架材を柱梁からなる矩形フレームの内側に別途架け渡し、その上方空間にダンパーを設置して天井で隠してしまえば、残された空間を開口とすることはできるが、ダンパーに入力される相対変位量は、階高に対する天井裏高さの比率で減少し、制振効果は大幅に低下するとともに、天井高の確保による居住性向上とのせめぎあいともなる。
【０００９】
また、柱梁の相対回転角が入力されるように該柱梁の仕口部にダンパーを設置する設置形態が知られており、かかる設置形態によれば、壁内空間の四隅が占有されるだけなので、矩形フレームの中央に開口を確保することができるとともに、四隅に設置されたダンパーについては、天井や床板で隠すことができるため、居室内の美観を維持することも可能となる。
【００１０】
しかし、柱梁の相対回転角という形で地震動による建物の揺れを取り出す場合、仕口部近傍というわずかなコーナー空間ではその大きさに限度があり、大きな制振効果を期待することはやはり難しい。かかる事態は、いわゆる伝統工法で構築された木造住宅の床下空間に制振装置を設置する場合にも同様に問題となる。
【課題を解決するための手段】
【００１１】
本発明は、上述した事情を考慮してなされたもので、柱と横架材との相対回転角という形で地震動による建物の揺れを取り出す場合であっても、建物の揺れを短時間に収斂させることが可能でなおかつ柱と横架材とで囲まれた矩形フレームの内側空間がダンパーとその関連部材によってすべて占有されることがない制振装置及びそれを用いた木造建物の制振構造を提供することを目的とする。
【００１２】
上記目的を達成するため、本発明に係る木造建物の制振構造は請求項１に記載したように、互いに対向配置された一対の柱、それらの頂部に架け渡された上段横架材及びそれらの脚部をつなぐ下段横架材を木造軸組部材とした矩形フレームの内側空間であって前記上段横架材の直下及び前記下段横架材の直上の少なくともいずれかが設置領域となるようにかつ該設置領域を除く領域が矩形状の開口となるように制振装置を設置した木造建物の制振構造において、
前記制振装置を、前記上段横架材の下面又は前記下段横架材の上面を取付け面として該取付け面にシリンダー及びピストンロッドのいずれか一方がピン接合されたオイルダンパーと、一端が前記取付け面にピン接合され他端が前記シリンダー及び前記ピストンロッドの他方にピン接合された揺動レバーと、該揺動レバーの中間位置に一端が接合され他端が前記一対の柱のうち、いずれか一方にピン接合されたアームとで構成するとともに、地震時における前記柱と前記上段横架材又は前記下段横架材との相対回転に伴って前記オイルダンパーの設置高さで生じる前記柱の相対水平変位が、拡大された状態で前記オイルダンパーに入力されるように、前記アームと前記揺動レバーとのピン接合位置及び前記アームと前記柱とのピン接合位置を設定したものである。
【００１３】
また、本発明に係る木造建物の制振構造は、前記設置領域を前記上段横架材の直下であって該上段横架材の下方に設置された天井の直上とするとともに、該天井とその下方に設けられた床板に挟まれた開口を前記矩形状の開口とし、該矩形状の開口を隣接居室間で行き来可能に構成したものである。
【００１４】
また、本発明に係る木造建物の制振構造は、前記設置領域を前記上段横架材の直下及び前記下段横架材の直上とするとともに、それらに挟まれた開口を前記矩形状の開口とし、該矩形状の開口に腰窓を嵌め込んだものである。
【００１５】
また、本発明に係る木造建物の制振構造は、前記設置領域を前記下段横架材の直上とするとともに、前記上段横架材の直下に拡がる開口を前記矩形状の開口とし、該矩形状の開口に高窓を嵌め込んだものである。
【００１６】
また、本発明に係る木造建物の制振構造は請求項５に記載したように、互いに対向配置された一対の柱、それらの頂部に架け渡された上段横架材、それらの脚部をつなぐ下段横架材及び前記一対の柱の中間高さに架け渡された補助横架材を木造軸組部材とした矩形フレームの内側空間であって前記補助横架材の直下及び直上の少なくともいずれかが設置領域となるようにかつ該設置領域を除く領域が矩形状の開口となるように制振装置を設置した木造建物の制振構造において、
前記制振装置を、前記補助横架材の上面又は下面を取付け面として該取付け面にシリンダー及びピストンロッドのいずれか一方がピン接合されたオイルダンパーと、一端が前記取付け面にピン接合され他端が前記シリンダー及び前記ピストンロッドの他方にピン接合された揺動レバーと、該揺動レバーの中間位置に一端が接合され他端が前記一対の柱のうち、いずれか一方にピン接合されたアームとで構成するとともに、地震時における前記柱と前記補助横架材との相対回転に伴って前記オイルダンパーの設置高さで生じる前記柱の相対水平変位が、拡大された状態で前記オイルダンパーに入力されるように、前記アームと前記揺動レバーとのピン接合位置及び前記アームと前記柱とのピン接合位置を設定したものである。
【００１７】
また、本発明に係る木造建物の制振構造は、前記補助横架材の上面を取付け面とした場合の前記設置領域の上方又は前記補助横架材の下面を取付け面とした場合の該補助横架材の上方に拡がる開口を前記矩形状の開口とし、該矩形状の開口に高窓を嵌め込んだものである。
【００１８】
また、本発明に係る木造建物の制振構造は、前記補助横架材の上面を取付け面とした場合の該補助横架材の下方又は前記補助横架材の下面を取付け面とした場合の前記設置領域の下方に拡がる開口を前記矩形状の開口とし、該矩形状の開口に地窓を嵌め込んだものである。
【００１９】
また、本発明に係る木造建物の制振構造は請求項８に記載したように、互いに対向配置された一対の柱、それらの頂部に架け渡された上段横架材、それらの脚部上方位置をつなぐ下段横架材を木造軸組部材とした矩形フレームの内側空間のうち、前記下段横架材の直下に制振装置を設置した木造建物の制振構造において、
前記制振装置を、前記下段横架材の下面を取付け面として該取付け面にシリンダー及びピストンロッドのいずれか一方がピン接合されたオイルダンパーと、一端が前記取付け面にピン接合され他端が前記シリンダー及び前記ピストンロッドの他方にピン接合された揺動レバーと、該揺動レバーの中間位置に一端が接合され他端が前記一対の柱のうち、いずれか一方にピン接合されたアームとで構成するとともに、地震時における前記柱と前記下段横架材との相対回転に伴って前記オイルダンパーの設置高さで生じる前記柱の相対水平変位が、拡大された状態で前記オイルダンパーに入力されるように、前記アームと前記揺動レバーとのピン接合位置及び前記アームと前記柱とのピン接合位置を設定したものである。
【００２０】
また、本発明に係る木造建物の制振構造は、前記木造建物を在来軸組工法で構築された木造建物としたものである。
【００２１】
また、本発明に係る制振装置は請求項１０に記載したように、木造軸組部材を構成する横架材の下面又は上面を取付け面として該取付け面にシリンダー及びピストンロッドのいずれか一方がピン接合されたオイルダンパーと、一端が前記取付け面にピン接合され他端が前記シリンダー及び前記ピストンロッドの他方にピン接合された揺動レバーと、該揺動レバーの中間位置に一端が接合され他端が前記横架材に接合され該横架材とともに前記木造軸組部材を構成する柱にピン接合されたアームとで構成するとともに、地震時における前記柱と前記横架材との相対回転に伴って前記オイルダンパーの設置高さで生じる前記柱の相対水平変位が、拡大された状態で前記オイルダンパーに入力されるように、前記アームと前記揺動レバーとのピン接合位置及び前記アームと前記柱とのピン接合位置を設定したものである。
【００２２】
木造建物において数多くの制振技術が開発ないしは提案されているものの、それらのほとんどが、柱梁で囲まれた矩形フレームの内側空間全体をほぼ占有する形でダンパーやそれに関連する部材が配置された構造になっている。
【００２３】
これは、矩形フレームの中央近傍にダンパーを配置するとともに、該ダンパーを上下の横架材にそれぞれ接続することによって、層間変位、すなわち上下の横架材間に生ずる相対変位をダンパーに入力させようとしたからであるが、その結果、矩形フレームの内側空間全体が制振装置でほぼ占有されることとなり、採光や通風を確保し、あるいは人が行き来できるような開口を美観を損なわずに残すことは困難となる。
【００２４】
これに対し、特許文献２のように、対向する一対の柱間の相対変位をダンパーに入力させた技術もいくつか見られるが、矩形フレームの中央近傍にダンパーを配置するとともに、該ダンパーを左右の柱にそれぞれ接続するという意味では、上述した層間変位タイプのものと同様であって、矩形フレームの内側空間全体がダンパーやそれに関連する部材に占有されており、上述した用途に使い得る開口を矩形フレームの内側空間に残すことはやはり難しい。
【００２５】
また、特許文献２記載の制振装置のように、粘性ダンパーを採用したことで小型化が容易になる反面、全体の減衰力を少しでも高めるためには複数設置が不可欠となり、それが矩形フレームの内側空間を占有する原因になっているものも少なくない。
【００２６】
また、柱梁あるいは柱と土台との相対回転角を仕口部で取り出してこれをダンパーに入力するものでは（特許文献１，４）、十分な制振化が困難であることは前述した通りである。
【００２７】
ちなみに、特許文献３，５は、隣接居室間で人の行き来が可能な開口を残すことができる発明を開示した数少ない文献であるが、仕口部における柱と土台との相対回転角を利用したものであるため、やはり十分な制振化は望めない。
【００２８】
なお、特許文献５には、ダンパーに入力される相対変位をリンク機構によって予め拡大可能な制振装置が開示されているものの、ピン位置の関係上、十分な拡大率を得ることは難しい。
【００２９】
本出願人らは、かかる知見を踏まえ、柱梁あるいは柱と土台との相対回転角をダンパーに入力する場合であっても、採光や通風を確保し、あるいは人が行き来可能な開口を残しつつ、十分な制振化が可能な技術を研究開発した結果、本発明をなしたものである。
【００３０】
すなわち、本発明に係る制振装置及びそれを用いた木造建物の制振構造においては、木造軸組部材を構成する上段横架材の下面、下段横架材の上面、補助横架材の下面若しくは上面又は下段横架材の下面を取付け面とし、該取付け面にオイルダンパーのシリンダー及びピストンロッドのいずれか一方をピン接合するとともに、同じ取付け面に揺動レバーの一端をピン接合してその他端をシリンダー及びピストンロッドの他方にピン接合し、揺動レバーの中間位置に一端をピン接合したアームの他端を柱にピン接合して構成するとともに、オイルダンパーに入力される地震時の相対水平変位が、該オイルダンパーの設置高さにおける柱の相対水平変位よりも拡大されるように、アームと揺動レバーとのピン接合位置、すなわち揺動レバーの中間位置と、アームと柱とのピン接合位置を設定してある。
【００３１】
このようにすると、一対の柱が建物全体の揺れに合わせて左右に傾斜したとき、その傾斜に応じて、アームが揺動レバーを水平軸線廻りに揺動させ、その揺動によって該揺動レバーの先端には相対水平変位が生じ、該相対水平変位がオイルダンパーに伝達されるが、オイルダンパーには、該オイルダンパーの設置高さにおける柱の相対水平変位よりも拡大された相対水平変位が入力される。
【００３２】
そのため、オイルダンパーに入力される相対水平変位は、層間変位よりは小さいとしても、オイルダンパーの減衰能力で十分補うことができる程度の相対変位が入力されることとなり、かくして建物の揺れを短時間に収斂させることができる。
【００３３】
特に在来軸組工法で構築された木造建物については、柱と横架材との接合度（回転剛性）が比較的小さく、地震時においては、層間変形角に近い角度で柱が左右に傾斜するため、十分な大きさの相対水平変位をオイルダンパーに入力することができる。
【００３４】
また、本発明においては、アーム他端との柱のピン接合位置から取付け面までの垂直距離をＨ１、揺動レバーの他端、すなわちオイルダンパーとの連結箇所におけるピン位置から取付け面におけるピン位置までの垂直距離をＨとすると、ダンパー設置高さで柱に生ずる相対水平変位δｈは、アームの他端におけるピン位置では、
（Ｈ１／Ｈ）・δｈ                  （１）
となる。ここで、建物の層間変形角が小さいことから、この相対水平変位が概ねそのままの大きさで揺動レバーの中間位置へと伝達されるものと近似する。
【００３５】
一方、揺動レバーの中間位置から他端へは、
（Ｈ／Ｈ２）                        （２）
の比率で拡大されるので、揺動レバーの他端での相対水平変位は、
（Ｈ１／Ｈ２）・δｈ                  （３）
と表すことができ、よって、揺動レバーの他端におけるダンパー設置高さで柱に生ずる相対水平変位δｈは、
α＝（Ｈ１／Ｈ２）                    （４）
で定められる係数αを乗じた倍率だけ拡大された状態で揺動レバーの他端に伝達し、オイルダンパーに入力されるものと考えることができる。
【００３６】
ここで、αは、Ｈ１とＨ２の比率で決まってくるため、アームと揺動レバーとのピン接合位置及びアームと柱とのピン接合位置を設定するにあたっては例えば、Ｈ１がＨ２以上、望ましくはＨ２の２倍以上、さらに望ましくはＨ２の３倍以上となるように設定することが考えられる。
【００３７】
一方、上述した計算式においては、柱が梁の下面から直線的にせん断変形するなどの近似が含まれているため、振動モデルを作成して解析を行うことによって、又は試験体を作成して試験を行うことによって、アームと揺動レバーとのピン接合位置及びアームと柱とのピン接合位置を設定するのがより望ましい。
【００３８】
このように、本発明に係る制振装置及びそれを用いた木造建物の制振構造によれば、地震動による建物の揺れに起因した柱の傾斜から相対水平変位を取り出し、その高さに設置されたオイルダンパーに該相対水平変位を直接入力するよりも、α倍だけ大きくした相対変位をオイルダンパーに入力することが可能となる。
【００３９】
そのため、例えばアームの他端と柱とのピン接合位置をオイルダンパーの設置高さに合わせた状態で、揺動レバーの中点をアームの一端が取り付けられるピン接合位置とした場合にはαは２、揺動レバーの３等分点のうち、取付け面に近い点をアームの一端が取り付けられるピン位置とした場合にはαは３となり、オイルダンパーに入力される相対水平変位の拡大率を従来よりも大幅に向上させることが可能となる。
【００４０】
例えば、特許文献５記載の制振装置の場合、拡大率を２倍にしようとすると、該文献記載でいうところの第２のリンク部材は、その３等分点のうち、梁に近い点で該梁にピン接合される必要があり、その分、大型のブラケットが必要となるが（同文献の図１参照）、本発明では、揺動レバーの一端を取付け面にピン接合すればよいので、取付けのためのブラケットはごく簡易なもので足りる。加えて、同文献記載の第２のリンク部材と本発明の揺動レバーとの長さを同じとした場合、同文献記載の制振装置で拡大率が２となるケースでは、本発明では拡大率が３となる。
【００４１】
また、本発明の制振装置は、その設置領域が、上段横架材の直下及び下段横架材の直上の少なくともいずれか、補助横架材の直下及び直上の少なくともいずれか、又は下段横架材の直下となり、かかる設置領域を除く領域が矩形状の開口となるように矩形フレームの内側空間に設置してある。
【００４２】
そのため、制振装置の設置領域を除く領域として矩形フレームに残された矩形状の開口を、採光や通風のための開口とすることが可能となり、高い居住性を得ることができるとともに、人が行き来するための開口として、さらにはこの開口を室内で連続形成することによって隣接居室を一体化し、大空間を形成することも可能となる。
【００４３】
矩形フレーム内の制振装置の設置領域と該矩形状フレームに残される矩形状の開口との関係において、上段横架材の直下及び下段横架材の直上の少なくともいずれかを設置領域とする場合には、以下の具体的構成、すなわち、
(a)  設置領域を、上段横架材の直下であって該上段横架材の下方に設置された天井の直上とするとともに、該天井とその下方に設けられた床板に挟まれた開口を矩形状の開口とし、該矩形状の開口を隣接居室間で行き来可能にする
(b)  設置領域を、上段横架材の直下及び下段横架材の直上とするとともに、それらに挟まれた開口を矩形状の開口とし、該矩形状の開口に腰窓を嵌め込む
(c)  設置領域を、下段横架材の直上とするとともに、上段横架材の直下に拡がる開口を矩形状の開口とし、該矩形状の開口に高窓を嵌め込む
といった構成を採用することができる。
【００４４】
また、補助横架材の直下及び直上の少なくともいずれかを設置領域とする場合には、以下の構成、すなわち、
(d)  補助横架材の上面を取付け面とした場合の設置領域の上方又は補助横架材の下面を取付け面とした場合の該補助横架材の上方に拡がる開口を矩形状の開口とし、該矩形状の開口に高窓を嵌め込む
(e)  補助横架材の上面を取付け面とした場合の該補助横架材の下方又は補助横架材の下面を取付け面とした場合の設置領域の下方に拡がる開口を矩形状の開口とし、該矩形状の開口に地窓を嵌め込む
といった構成を採用することができる。
【００４５】
かかる具体的構成のうち、(ａ)は、天井裏空間に制振装置を設置することで、天井と床板との間を矩形状の開口とし、該矩形状の開口を介して隣接居室を一体化させて大空間を形成することが可能となる。
【００４６】
また、(b)は、腰窓によって標準的な採光及び通風を確保しつつ、上下に二段併置された制振装置によって、制振化への寄与の度合いを高めることが可能となる。
【００４７】
また、(c)は、主としてプライバシーを確保したい居室に面する外壁で採用可能な構成であり、外壁の下方を制振のためのスペースとして用いながら、その上方を採光のための開口として用いることにより、建物全体の制振化に寄与させながら、屋外からの視線を遮断するとともに、いわゆるハイサイドライト特有の良質な採光を確保することが可能となる。
【００４８】
また、(d)、(e)は、柱の中間高さ位置を制振のためのスペースとして用いながら、その上方と下方に残された矩形状の開口に高窓や地窓を嵌め込むことにより、建物全体の制振化に寄与させながら、屋外からの視線を遮断しつつ、いわゆるハイサイドライト特有の良質な採光を確保し、あるいは地窓特有の通風を確保することが可能となる。
【図面の簡単な説明】
【００４９】
【図１】本実施形態に係る木造建物の制振構造の正面図。
【図２】本実施形態に係る制振装置の正面図。
【図３】本実施形態に係る制振装置及びそれを用いた木造建物の制振構造の作用を示した図。
【図４】本実施形態に係る制振装置の作用を示した説明図。
【図５】変形例に係る木造建物の制振構造を示した全体正面図。
【図６】別の変形例に係る木造建物の制振構造を示した全体正面図。
【図７】別の変形例に係る木造建物の制振構造を示した全体正面図。
【図８】別の変形例に係る木造建物の制振構造を示した全体正面図。
【発明を実施するための形態】
【００５０】
以下、本発明に係る制振装置及びそれを用いた木造建物の制振構造の実施の形態について、添付図面を参照して説明する。
【００５１】
図１は、本実施形態に係る木造建物の制振構造を示した正面図、図２は、それに用いる制振装置の正面図である。これらの図に示すように、本実施形態に係る木造建物の制振構造１は、在来軸組工法で構築された木造住宅を木造建物とし、かかる木造住宅の一階に立設された矩形フレーム５の内側空間に制振装置６を配置してなる。
【００５２】
矩形フレーム５は、鉄筋コンクリートの布基礎（図示せず）の上に取り付けられた下段横架材としての土台４と、該土台４に立設された一対の柱２，２と、それらの頂部に架け渡された上段横架材としての梁３とからなる。
【００５３】
制振装置６は図２に示すように、梁３の下方に配置されたオイルダンパー２１と、該オイルダンパーに連結された揺動レバー２５と、該揺動レバーに連結されたアーム２６とで概ね構成してある。
【００５４】
オイルダンパー２１は、シリンダー２２内にピストン（図示せず）を往復動自在に配置するとともに該ピストンにピストンロッド２３を立設してあり、ピストンロッド２３は、その先端を、梁３の下面を取付け面として該取付け面に垂設されたブラケット２４の下端にピン２９を介して連結してある。
【００５５】
揺動レバー２５は、その一端をピン３０を介して取付け面である梁３の下面に連結してあるとともに、他端をピン３１を介してオイルダンパー２１のシリンダー２２に連結してある。
【００５６】
アーム２６は、その一端をピン２８を介して揺動レバー２５の中間位置に連結してあるとともに、他端をピン２７を介して柱２の側面に連結してある。
【００５７】
ブラケット２４は、揺動レバー２５の長さを考慮しつつ、オイルダンパー２１が概ね水平に保持されるように、その高さを適宜決定すればよい。
【００５８】
揺動レバー２５及びアーム２６を構成するにあたっては、オイルダンパー２１に入力される地震時の相対水平変位が、該オイルダンパーの設置高さにおける柱２の相対水平変位よりも拡大されるように、アーム２６と揺動レバー２５との接合位置であるピン２８の位置や、アーム２６と柱２とのピン接合位置であるピン２７の位置を設定してある。
【００５９】
一方、制振装置６は、矩形フレーム５の内側空間のうち、梁３の直下であって該梁の下方に設置された天井７の直上、つまり天井裏空間が設置領域となるように、かつその設置領域を除く領域のうち、天井７とその下方に設けられた床板８に挟まれた矩形状の開口９が、隣接居室間で行き来可能な開口となるように配置してある。
【００６０】
本実施形態に係る制振装置６及びそれを用いた木造建物の制振構造１においては、一対の柱２，２が建物全体の揺れに合わせて左右に傾斜したとき、アーム２６は図３に示すように、柱２の傾斜に応じて、揺動レバー２５をピン３０を回転中心として反時計廻り（同図(a)）と時計回り（同図(b)）に交互に揺動させ、その揺動によって該揺動レバーの先端には相対水平変位が生じ、該相対水平変位がオイルダンパー２１に伝達されるが、かかる相対水平変位は、アーム２６及び揺動レバー２５によって、ダンパー設置高さでの柱２の相対水平変位よりも拡大された状態でオイルダンパー２１に入力される。
【００６１】
すなわち、図４(a)に示すように、アーム２６と柱２とのピン接合位置であるピン２７から取付け面までの垂直距離をＨ１、揺動レバー２５とオイルダンパー２１との接合位置であるピン３１から取付け面におけるピン３０までの垂直距離をＨとすると、ダンパー設置高さで柱２に生ずる相対水平変位δｈは、アーム２６の他端におけるピン２７では、
（Ｈ１／Ｈ）・δｈ                  （１）
となる。ここで、建物の層間変形角が小さいことから、この相対水平変位が概ねそのままの大きさで揺動レバー２６の中間位置であるピン２８へと伝達されるものと近似する。
【００６２】
一方、揺動レバー２５の中間位置であるピン２８から他端であるピン３１へは、
（Ｈ／Ｈ２）                        （２）
の比率で拡大される。
【００６３】
したがって、揺動レバー２５の他端であるピン３１での相対水平変位は、
（Ｈ１／Ｈ２）・δｈ                  （３）
と表すことができ、よって、ダンパー設置高さで柱に生ずる相対水平変位δｈは、揺動レバー２５の他端においては、
α＝（Ｈ１／Ｈ２）                    （４）
で定められる係数αだけ拡大され、この拡大された相対水平変位がオイルダンパー２１に入力されるものと考えることができる。
【００６４】
具体的に検討すると、例えば揺動レバー２５の中間位置であるピン２８が該揺動レバーの中点で、アーム２６の他端であるピン２７がダンパー設置高さと等しい場合、すなわち、Ｈ１がＨで、Ｈ２がＨ／２の場合（図４(b)）、αは２となる。
【００６５】
同様に、Ｈ１がＨ／２で、Ｈ２がＨ／２の場合（図４(c)）、αは１、Ｈ１が（３／４）・Ｈで、Ｈ２がＨ／２の場合（図４(d)）、αは１．５、Ｈ１が（３／２）・Ｈで、Ｈ２がＨ／２の場合（図４(e)）、αは３、Ｈ１がＨで、Ｈ２がＨ／３の場合（図４(f)）、αは３となる。
【００６６】
以上説明したように、本実施形態に係る制振装置６及びそれを用いた木造建物の制振構造１によれば、地震動による建物の揺れに起因した柱２の傾斜から相対水平変位を取り出し、その高さに設置されたオイルダンパー２１に該相対水平変位を直接入力するよりも、α倍だけ大きくした水平相対変位をオイルダンパー２１に入力することが可能となる。
【００６７】
そのため、例えばアーム２６の他端と柱２との接合位置であるピン２７をオイルダンパー２１の設置高さに合わせた状態で、揺動レバー２５の中点をアーム２６の一端が取り付けられる接合位置であるピン２８の位置とした場合にはαは２、揺動レバー２５の３等分点のうち、取付け面に近い点をピン２８の位置とした場合にはαは３となり、かくしてオイルダンパー２１に入力される相対水平変位の拡大率を従来よりも大幅に向上させることが可能となる。
【００６８】
また、本実施形態に係る木造建物の制振構造１によれば、在来軸組工法で構築された木造建物を対象としたことにより、地震時においては、層間変形角に近い角度で柱２，２が左右に傾斜する。
【００６９】
そのため、オイルダンパー２１に入力される相対水平変位は、層間変位よりは小さくなるものの、その低減量はオイルダンパー２１の減衰能力で十分補うことができる程度にとどまり、上述した相対水平変位の拡大率向上とも相俟って、建物の揺れを短時間に収斂させることが可能となる。
【００７０】
また、本実施形態に係る木造建物の制振構造１によれば、制振装置６の設置領域を、梁３の直下であって該梁の下方に設置された天井７の直上とし、該天井と床板８に挟まれた矩形状の開口を隣接居室間で行き来可能な開口９としたので、該開口を介して隣接居室を一体化させ、大きな居住空間を形成することが可能となる。
【００７１】
本実施形態では、説明の便宜上、一階について制振を行った例を説明したが、本発明に係る木造建物の制振構造を、二階、三階といった上階にも同様に適用できることは言うまでもない。
【００７２】
また、本実施形態では、制振装置６の設置領域を、梁３の直下であって天井７の直上としたが、矩形フレーム５の内側空間に矩形状の開口が残るのであれば、制振装置６をどのように設置してもかまわない。
【００７３】
図５は、かかる変形例を示した正面図である。同図に示した木造建物の制振構造４１は、制振装置６の設置領域を、上段横架材としての胴差し３ａの直下及び土台４の直上とするとともに、胴差し３ａ直下に設置される制振装置６を垂壁４２で、土台４の直上に設置される制振装置６を腰壁４３でそれぞれ隠し、それらに挟まれた矩形状の開口４４に腰窓を嵌め込んである。
【００７４】
かかる構成によれば、腰窓によって標準的な採光及び通風を確保しつつ、上下に二段併置された制振装置６，６によって、制振化への寄与の度合いを高めることが可能となる。
【００７５】
図６は、別の変形例を示した正面図である。同図に示した木造建物の制振構造５１は、制振装置６の設置領域を土台４の直上とするとともに該制振装置を壁５２で隠し、胴差し３ａの直下に拡がる矩形状の開口５３には高窓を嵌め込んである。
【００７６】
かかる構成によれば、壁５２の下方を制振のためのスペースとして用いながら、その上方を採光のための開口５３として用いることにより、建物全体の制振化に寄与させながら、制振装置６を設置した壁５２で屋外からの視線を遮断するとともに、いわゆるハイサイドライト特有の良質な採光を開口５３で確保することが可能となる。
【００７７】
なお、土台４の直上を制振装置６の設置領域とする代わりに、図７に示すように柱２，２の中間高さに補助横架材６１を架け渡して、該補助横架材の下面を取付け面として制振装置６を設置することにより、補助横架材６１の直下を制振装置６の設置領域とし、該制振装置を壁５２ａで隠すとともに、その上方に拡がる矩形状の開口５３ａに高窓を、下方に拡がる矩形状の開口５３ｂに地窓をそれぞれ嵌め込むようにしてもよい。
【００７８】
かかる構成によれば、矩形フレーム５の中間高さに拡がる領域を制振装置６の設置領域として用いながら、その上方及び下方を採光及び通風のための開口５３ａ，５３ｂとして用いることが可能となり、建物全体の制振化に寄与させながら、壁５２ａで屋外からの視線を遮断しつつ、いわゆるハイサイドライト特有の良質な採光を開口５３ａで確保するとともに、地窓特有の換気機能を開口５３ｂで確保することができる。
【００７９】
加えて、地震時における柱２，２の傾斜角は、在来軸組工法であっても仕口部での回転拘束は存在し、頂部や端部よりも中間高さ位置の方が大きくなる。したがって、上述のように構成すれば、オイルダンパー２１に入力する相対変位を大きく取ることが可能となる。
【００８０】
なお、上述した変形例においては、補助横架材６１の下面を取付け面として制振装置６を設置することにより、補助横架材６１の直下を制振装置６の設置領域としたが、これに代えて、補助横架材６１の上面を取付け面として制振装置６を設置することにより、補助横架材６１の直上を制振装置６の設置領域としてもかまわない。
【００８１】
また、本実施形態では特に言及しなかったが、伝統工法で構築された古民家のように、柱をそれらの脚部近傍において足固めで相互につないである場合があるが、足固めの下方空間、つまり床下空間に余裕がある場合には、図８に示すように柱２，２の脚部近傍をつなぐ下段横架材である足固め８１の下面を取付け面として制振装置６を設置するようにしてもよい。
【符号の説明】
【００８２】
１、４１，５１    木造建物の制振構造
２                柱
３                梁（上段横架材）
３ａ              胴差し（上段横架材）
４                土台（下段横架材）
５                矩形フレーム
６                制振装置
７                天井
８                床板
９，４４，５３    矩形状の開口
２１                オイルダンパー
２２                シリンダー
２３                ピストンロッド
２５                揺動レバー
２６                アーム
２７，２８，２９，３０，３１  ピン
６１                補助横架材
【図１】
0005541729.tif 000002
【図２】
0005541729.tif 000003
【図３】
0005541729.tif 000004
【図４】
0005541729.tif 000005
【図５】
0005541729.tif 000006
【図６】
0005541729.tif 000007
【図７】
0005541729.tif 000008
【図８】
0005541729.tif 000009